【手続補正書】
【提出日】平成16年8月4日(2004.8.4)
【手続補正１】
【補正対象書類名】明細書
【補正対象項目名】全文
【補正方法】変更
【補正の内容】
【書類名】  明細書
【発明の名称】  ヒートポンプ風呂給湯機
【特許請求の範囲】
【請求項１】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記圧縮機を間欠運転する制御手段とを備えたことを特徴とするヒートポンプ風呂給湯機。
【請求項２】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記圧縮機の出力を運転時間に基づいて制御する制御手段を備えたことを特徴とするヒートポンプ風呂給湯機。
【請求項３】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する温度センサーの検知温度に基づいて前記圧縮機を間欠運転する制御手段を備えたことを特徴とするヒートポンプ風呂給湯機。
【請求項４】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する温度センサーの検知温度の昇降に応じて前記圧縮機の出力の増減を制御する制御手段を備えたことを特徴とするヒートポンプ風呂給湯機。
【請求項５】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽水循環ポンプを運転時間に基づいて間欠運転する制御手段を備えたことを特徴とするヒートポンプ風呂給湯機。
【請求項６】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽水循環ポンプの出力を運転時間に基づいて制御する制御手段を備えたことを特徴とするヒートポンプ風呂給湯機。
【請求項７】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する前記温度センサーの検知温度に基づいて前記浴槽水循環ポンプを間欠運転する制御手段を備えたことを特徴とするヒートポンプ風呂給湯機。
【請求項８】  圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する前記温度センサーの検知温度に基づいて前記浴槽水循環ポンプの出力を制御する制御手段を備えたことを特徴とするヒートポンプ風呂給湯機。
【請求項９】  圧縮機を間欠運転する制御手段は、風呂熱交換器で冷媒回路の冷媒を蒸発させて浴槽水の熱を回収し、給湯熱交換器で冷媒を凝縮させて給湯の加熱を行う場合に、圧縮機の運転を所定時間ａだけ行った後、所定時間ｂだけ運転を停止させるような、前記圧縮機の間欠運転を繰り返し行わせることを特徴とする請求項１記載のヒートポンプ風呂給湯機。
【請求項１０】  圧縮機の出力を運転時間に基づいて制御する制御手段は、風呂熱交換器で前記冷媒回路の冷媒を蒸発させて浴槽水の熱を回収し、給湯熱交換器で冷媒を凝縮させて給湯の加熱を行う場合に、圧縮機の出力がＰ１である運転を所定時間ｃだけ行った後に、
前記圧縮機の出力が前記出力Ｐ１より小さいＰ２で運転を所定時間ｄだけ行う動作を、繰り返し行わせることを特徴とする請求項２記載のヒートポンプ風呂給湯機。
【請求項１１】  浴槽回路の浴槽水の温度を検知する温度センサーの検知温度に基づいて圧縮機を間欠運転する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ１以下になると前記圧縮機の動作を停止し、温度センサーの検知温度がＴ２以上になると前記圧縮機を再び動作させるような、前記圧縮機の間欠運転を繰り返し行わせることを特徴とする請求項３記載のヒートポンプ風呂給湯機。
【請求項１２】  浴槽回路の浴槽水の温度を検知する温度センサーの検知温度の昇降に基づいて圧縮機の出力の増減を制御する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ３以下になると前記圧縮機の出力をＰ５からＰ５より小さいＰ６へ制御し、その後前記温度センサーの検知温度がＴ４以上になると前記圧縮機の出力をＰ６からＰ６より大きいＰ５へ制御することを特徴とする請求項４記載のヒートポンプ風呂給湯機。
【請求項１３】浴槽水循環ポンプを運転時間に基づいて間欠運転する制御手段は、風呂熱交換器で冷媒回路の冷媒を蒸発させて浴槽水の熱を回収し、前記給湯熱交換器で冷媒を凝縮させて給湯の加熱を行う場合に、前記浴槽水循環ポンプの運転を所定時間ｅだけ行った後、所定時間ｆだけ運転を停止するような、前記浴槽水循環ポンプの間欠運転を繰り返し行わせることを特徴とする請求項５記載のヒートポンプ風呂給湯機。
【請求項１４】  浴槽水循環ポンプの出力を運転時間に基づいて制御する制御手段は、風呂熱交換器で前記冷媒回路の冷媒を蒸発させて浴槽水の熱を回収し、給湯熱交換器で冷媒を凝縮させて給湯の加熱を行う場合に、浴槽水循環ポンプの出力がＰ３である運転を所定時間ｇだけ行った後に、前記浴槽水循環ポンプの出力が前記出力Ｐ３より大きいＰ４で運転を所定時間ｈだけ行う動作を、繰り返し行うことを特徴とする請求項６記載のヒートポンプ風呂給湯機。
【請求項１５】  浴槽回路の浴槽水の温度を検知する温度センサーの検知温度に基づいて浴槽水循環ポンプを間欠運転する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ５以下になると前記浴槽水循環ポンプの動作を停止し、前記温度センサーの検知温度がＴ６以上になると前記浴槽水循環ポンプを再び動作させるような、浴槽水循環ポンプの間欠運転を繰り返し行うことを特徴とする請求項７記載のヒートポンプ風呂給湯機。
【請求項１６】  浴槽回路の浴槽水の温度を検知する温度センサーの検知温度に基づいて浴槽水循環ポンプの出力を制御する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ７以下になると浴槽水循環ポンプの出力をＰ７からＰ７より小さいＰ８へと制御し、その後前記温度センサーの検知温度がＴ８以上になると前記浴槽水循環ポンプの出力をＰ８からＰ８より大きいＰ７へと制御することを特徴とする請求項８記載のヒートポンプ風呂給湯機。
【請求項１７】  浴槽水循環回路に浴槽水循環ポンプを設け、圧縮機が間欠運転をしているとき、あるいは圧縮機の出力が運転時間に基づいて制御されているとき、前記浴槽水循環ポンプは動作していることを特徴とする請求項１から８のいずれか１項に記載のヒートポンプ風呂給湯機。
【発明の詳細な説明】
【０００１】
【発明の属する技術分野】
本発明は、ヒートポンプを応用して、大気熱や太陽熱などを風呂浴槽水の加熱に利用したり、大気熱や太陽熱や風呂浴槽水の温熱を給湯の加熱などに利用する技術分野に関するものである。
【０００２】
【従来の技術】
従来より、ヒートポンプサイクルを用いて、外部の熱源から熱を汲み上げ、給湯、および、風呂浴槽水の加熱を行う装置が提供されている。
【０００３】
図１９に、風呂浴槽水の温熱を熱源とし、ヒートポンプによって給湯の加熱を行う装置の構成を示す。図１９のヒートポンプ風呂給湯機は、圧縮機１と、膨張弁２と、冷媒回路３と、給湯熱交換器４と、給湯水回路５と、給湯水タンク６と、風呂熱交換器７と、浴槽水循環回路８と、浴槽水循環ポンプ９と、浴槽１０と、風呂アダプター１１より構成されている。
【０００４】
浴槽の浴槽水の温熱を利用して、給湯の加熱運転をするときは、以下のような運転を行う。まず、浴槽１０の浴槽水を浴槽水循環ポンプ９で浴槽水循環回路８と、風呂熱交換器７を循環させる。そして、圧縮機１を運転して冷媒回路３内の冷媒を高温高圧に加圧し、給湯熱交換器４、膨張弁２、風呂熱交換器７の順に送る。冷媒は風呂熱交換器７で浴槽水の熱を吸熱し、その後圧縮機１で高温高圧に加圧され、冷媒は給湯熱交換器４で凝縮して給湯の加熱を行う。
【０００５】
この従来の構成において、効率よく浴槽水の冷却と加熱を行うために、例えば特公平８−２７０７９号公報に記載されているような方法が提案されている。さらに、ヒートポンプの応用展開として、風呂浴槽水温熱を暖房に利用する特開平９−１５９２６７号公報に記載されている例もある。
【０００６】
【発明が解決しようとする課題】
しかしながら、上記のような従来の構成では、以下に挙げる理由から、風呂浴槽水の温熱を有効に給湯の加熱に利用することは困難であった。
【０００７】
すなわち風呂熱交換器７で冷媒から吸熱されて温度の低くなった浴槽水は、浴槽１０へ戻る。しかし、浴槽１０に戻った浴槽水の温度は、浴槽１０内の浴槽水の温度より低いので、両浴槽水の間には密度差が生じ、密度の大きい低温の浴槽水は浴槽１０の底部に向けて流れる。従って、風呂熱交換器７から戻ってきた低温の浴槽水は、浴槽１０の浴槽水と十分に撹拌されることなく、浴槽１０の底部に低温の層を形成する。従って浴槽の浴槽水は、図２０に示すように、浴槽１０の底部の温度が低く上部の温度が高い温度分布となる。このまま運転を続けていくと、浴槽１０の底部の低温層は厚みを増していき、浴槽の風呂アダプター１１まで達したときは、浴槽水循環ポンプ９より吸入される浴槽水の温度は著しく低下する。浴槽水循環温度が低下すると、ヒートポンプの効率が低下するばかりでなく、循環している浴槽水が吸熱された後で凍結するため、浴槽上部の温熱を有効に給湯の加熱に利用できないままヒートポンプの運転を終了しなければならない。従って、浴槽上部の温熱を有効に給湯の加熱に利用するためには、図２０に示した浴槽１０内に形成された温度分布を均一にしなければならない。
【０００８】
【課題を解決するための手段】
本発明は上記課題を解決するために、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記圧縮機を間欠運転する制御手段とを備えたことを特徴とするヒートポンプ風呂給湯機としたものである。
【０００９】
上記発明によれば、風呂浴槽水の温熱を利用して給湯の加熱運転を行うときに、浴槽の底部の温度が低く、浴槽の上部の温度が高いような温度分布を、浴槽水の自然対流、または、強制対流を利用して均一化することが出来る。
【００１０】
従って、風呂浴槽水の温熱を有効かつ高効率に給湯の加熱に利用することができる。
【００１１】
【発明の実施の形態】
本発明は各請求項に記載した構成とすることにより、本発明の目的を達成した実施形態のヒートポンプ風呂給湯機を実現できる。すなわち本発明は、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記圧縮機を間欠運転する制御手段とを備えた構成のヒートポンプ風呂給湯機とすることにより、風呂浴槽水の温熱を有効かつ高効率に給湯の加熱に利用することができる。
【００１２】
さらに、圧縮機を間欠運転する制御手段は、風呂熱交換器で冷媒回路の冷媒を蒸発させて浴槽水の熱を回収し、給湯熱交換器で冷媒を凝縮させて給湯の加熱を行う場合に、圧縮機の運転を所定時間ａだけ行った後、所定時間ｂだけ運転を停止させるような、前記圧縮機の間欠運転を繰り返し行わせることにより、浴槽内には対流が発生し、浴槽に形成される浴槽の深さ方向の温度分布は、これによって均一化される。
【００１３】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記圧縮機の出力を運転時間に基づいて制御する制御手段を備えた構成のヒートポンプ風呂給湯機とすることにより、風呂浴槽水の温熱を有効かつ高効率に給湯の加熱に利用することができる。
【００１４】
さらに、圧縮機の出力を運転時間に基づいて制御する制御手段は、風呂熱交換器で前記冷媒回路の冷媒を蒸発させて浴槽水の熱を回収し、給湯熱交換器で冷媒を凝縮させて給湯の加熱を行う場合に、圧縮機の出力がＰ１である運転を所定時間ｃだけ行った後に、前記圧縮機の出力が前記出力Ｐ１より小さいＰ２で運転を所定時間ｄだけ行う動作を、繰り返し行わせることにより、浴槽内には対流が発生し、浴槽に形成される浴槽の深さ方向の温度分布は、これによって均一化される。
【００１５】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記圧縮機の出力を運転時間に基づいて制御する制御手段を備えた構成のヒートポンプ風呂給湯機とすることにより、風呂浴槽水の温熱を有効かつ高効率に給湯の加熱に利用することができる。
【００１６】
さらに、圧縮機の出力を運転時間に基づいて制御する制御手段は、風呂熱交換器で前記冷媒回路の冷媒を蒸発させて浴槽水の熱を回収し、給湯熱交換器で冷媒を凝縮させて給湯の加熱を行う場合に、圧縮機の出力がＰ１である運転を所定時間ｃだけ行った後に、前記圧縮機の出力が前記出力Ｐ１より小さいＰ２で運転を所定時間ｄだけ行う動作を、繰り返し行わせることにより、浴槽内には対流が発生し、浴槽に形成される浴槽の深さ方向の温度分布は、これによって均一化される。
【００１７】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する温度センサーの検知温度に基づいて前記圧縮機を間欠運転する制御手段を備えた構成のヒートポンプ風呂給湯機とすることにより、風呂浴槽水の温熱を有効かつ高効率に給湯の加熱に利用することができる。
【００１８】
さらに、浴槽回路の浴槽水の温度を検知する温度センサーの検知温度に基づいて圧縮機を間欠運転する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ１以下になると前記圧縮機の動作を停止し、温度センサーの検知温度がＴ２以上になると前記圧縮機を再び動作させるような、前記圧縮機の間欠運転を繰り返し行わせることにより、浴槽内には対流が発生し、浴槽に形成される浴槽の深さ方向の温度分布は、これによって均一化される。
【００１９】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する温度センサーの検知温度の昇降に応じて前記圧縮機の出力の増減を制御する制御手段を備えた構成のヒートポンプ風呂給湯機とすることにより、風呂浴槽水の温熱を有効かつ高効率に給湯の加熱に利用することができる。
【００２０】
さらに、浴槽回路の浴槽水の温度を検知する温度センサーの検知温度の昇降に基づいて圧縮機の出力の増減を制御する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ３以下になると前記圧縮機の出力をＰ５からＰ５より小さいＰ６へ制御し、その後前記温度センサーの検知温度がＴ４以上になると前記圧縮機の出力をＰ６からＰ６より大きいＰ５へ制御することにより、浴槽内には対流が発生し、浴槽に形成される浴槽の深さ方向の温度分布は、これによって均一化される。
【００２１】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽水循環ポンプを運転時間に基づいて間欠運転する制御手段を備えた構成のヒートポンプ風呂給湯機とすることにより、風呂浴槽水の温熱を有効かつ高効率に給湯の加熱に利用することができる。
【００２２】
さらに、浴槽水循環ポンプを運転時間に基づいて間欠運転する制御手段は、風呂熱交換器で冷媒回路の冷媒を蒸発させて浴槽水の熱を回収し、前記給湯熱交換器で冷媒を凝縮させて給湯の加熱を行う場合に、前記浴槽水循環ポンプの運転を所定時間ｅだけ行った後、所定時間ｆだけ運転を停止するような、前記浴槽水循環ポンプの間欠運転を繰り返し行わせることにより、浴槽内には対流が発生し、浴槽に形成される浴槽の深さ方向の温度分布は、これによって均一化される。
【００２３】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽水循環ポンプの出力を運転時間に基づいて制御する制御手段を備えた構成のヒートポンプ風呂給湯機とすることにより、風呂浴槽水の温熱を有効かつ高効率に給湯の加熱に利用することができる。
【００２４】
さらに、浴槽水循環ポンプの出力を運転時間に基づいて制御する制御手段は、風呂熱交換器で前記冷媒回路の冷媒を蒸発させて浴槽水の熱を回収し、給湯熱交換器で冷媒を凝縮させて給湯の加熱を行う場合に、浴槽水循環ポンプの出力がＰ３である運転を所定時間ｇだけ行った後に、前記浴槽水循環ポンプの出力が前記出力Ｐ３より大きいＰ４で運転を所定時間ｈだけ行う動作を、繰り返し行うことにより、浴槽内には対流が発生し、浴槽に形成される浴槽の深さ方向の温度分布は、これによって均一化される。
【００２５】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する前記温度センサーの検知温度に基づいて前記浴槽水循環ポンプを間欠運転する制御手段を備えた構成のヒートポンプ風呂給湯機とすることにより、風呂浴槽水の温熱を有効かつ高効率に給湯の加熱に利用することができる。
【００２６】
さらに、浴槽回路の浴槽水の温度を検知する温度センサーの検知温度に基づいて浴槽水循環ポンプを間欠運転する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ５以下になると前記浴槽水循環ポンプの動作を停止し、前記温度センサーの検知温度がＴ６以上になると前記浴槽水循環ポンプを再び動作させるような、浴槽水循環ポンプの間欠運転を繰り返し行うことにより、浴槽内には対流が発生し、浴槽に形成される浴槽の深さ方向の温度分布は、これによって均一化される。
【００２７】
また、圧縮機を有する冷媒回路と、前記冷媒回路の冷媒と浴槽水が熱交換する風呂熱交換器を有する浴槽水循環回路と、前記冷媒回路の冷媒と給湯水が熱交換する給湯熱交換器を有する給湯水回路と、前記浴槽回路の浴槽水の温度を検知する前記温度センサーの検知温度に基づいて前記浴槽水循環ポンプの出力を制御する制御手段を備えた構成のヒートポンプ風呂給湯機とすることにより、風呂浴槽水の温熱を有効かつ高効率に給湯の加熱に利用することができる。
【００２８】
さらに、浴槽回路の浴槽水の温度を検知する温度センサーの検知温度に基づいて浴槽水循環ポンプの出力を制御する制御手段は、風呂熱交換器で冷媒回路の冷媒を蒸発させて浴槽水の熱を回収し、給湯熱交換器で冷媒を凝縮させて給湯の加熱を行う場合に、温度センサーの検知温度がＴ７以下になると浴槽水循環ポンプの出力をＰ７からＰ７より小さいＰ８へと制御し、その後前記温度センサーの検知温度がＴ８以上になると前記浴槽水循環ポンプの出力をＰ８からＰ８より大きいＰ７へと制御することにより、浴槽内には対流が発生し、浴槽に形成される浴槽の深さ方向の温度分布は、これによって均一化される。
【００２９】
また、浴槽水循環回路に浴槽水循環ポンプを設け、圧縮機が間欠運転をしているとき、あるいは圧縮機の出力が運転時間に基づいて制御されているとき、前記浴槽水循環ポンプを動作させることにより、、風呂浴槽水の温熱を有効かつ高効率に給湯の加熱に利用することができる。
【００３０】
【実施例】
以下、本発明の実施例について図面を用いて説明する。
【００３１】
（実施例１）
図１は本発明の実施例１におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１は夫々図１９に示した従来例と同様である。そして制御手段１２を備えている。その制御手段１２は、運転時間に基づいて圧縮機１を間欠運転をさせる制御手段である。
【００３２】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、圧縮機１の運転を所定運転時間後に停止させる。圧縮機の運転を停止すると、浴槽水は風呂熱交換器７で冷却されないので、浴槽１０へ戻る浴槽水は浴槽底部に低温の層を形成しない。ここで、浴槽水循環ポンプ９が動作しているとき、浴槽１０の底部の低温の浴槽水は、上部の温度の高い浴槽水と攪拌されるから、浴槽１０の温度分布は均一となっていく。温度分布が均一に近い状態になると再び、圧縮機１の運転を行う。この上記間欠運転を繰り返すことによって、浴槽１０の浴槽水全体の温度は徐々に低下し、ある所定の温度以下になるまで圧縮機１の運転を行うことが出来れば、浴槽１０の浴槽水の温熱を有効に給湯の加熱に活用できたことになる。
【００３３】
尚、本実施例では圧縮機１の運転を運転時間によって間欠的に運転したが、圧縮機１の出力を運転時間によって制御しても同様の効果を得ることが出来る。
【００３４】
また、本実施例では圧縮機１の制御を行ったが、浴槽水循環ポンプ９を運転時間によって間欠的に運転するか、あるいは出力を制御しても浴槽の温度分布は均一化される。さらに、それぞれ制御手段を幾つか組み合わせて使用してもよい。
【００３５】
（実施例２）
図２は本発明の実施例２におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、制御手段１３、温度センサー１４より構成されている。温度センサー１４は、浴槽水循環回路８の浴槽水温度の検知手段であり、制御手段１３は、温度センサー１４の検知温度に基づいて、圧縮機１を間欠運転する制御手段である。ここで、本実施例では温度センサー１４にはサーミスターを使用したが、他にも、熱電対や、測温抵抗体などを用いても良い。また、設置位置を浴槽水循環ポンプ９の後としているが、浴槽水循環回路８であれば場所はどこでも良い。
【００３６】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、圧縮機１の運転を温度センサー１４の温度が所定温度以下になったら一旦停止させる。圧縮機１の運転を停止すると、浴槽水は風呂熱交換器７で冷却されないので、浴槽１０へ戻る浴槽水は浴槽底部に低温の層を形成しない。ここで、浴槽水循環ポンプ９が動作しているときは、浴槽１０の底部の低温の浴槽水は、上部の温度の高い浴槽水と攪拌されるから、浴槽１０の温度分布は均一となっていく。温度分布が均一となるに従い、浴槽水循環温度は高くなるから、温度センサー１４の検知温度が所定の温度以上になったら、浴槽１０の浴槽水の温度分布は均一になったと判断して、圧縮機１の運転を再び開始する。この上記間欠運転を繰り返すことによって、浴槽１０の浴槽水全体の温度は徐々に低下し、ある所定温度以下になるまで圧縮機１の運転を行うことが出来れば、浴槽１０の浴槽水の温熱を有効に給湯の加熱に活用できたことになる。
【００３７】
尚、本実施例では圧縮機１の運転を温度センサー１４の検知温度によって間欠的に運転したが、圧縮機１の出力を温度センサー１４の検知温度によって制御しても同様の効果を得ることが出来る。
【００３８】
また、本実施例では圧縮機１の制御を行ったが、浴槽水循環ポンプ９を温度センサー１４の検知温度によって間欠的に運転するか、あるいは、出力を制御しても浴槽の温度分布は均一化される。さらに、それぞれ制御手段を幾つか組み合わせて使用しても良い。
【００３９】
（実施例３）
図３は本発明の実施例３におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、制御手段１５より構成されている。制御手段１５は、圧縮機１を所定運転時間ａ、所定運転停止時間ｂなる間欠運転をする制御手段である。
【００４０】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図４に示すような制御手段１５の制御を行う。圧縮機１の運転を所定運転時間ａ経過後に停止し、所定停止時間ｂ経過後再び動作させる。この動作を繰り返す圧縮機１の間欠運転を行うとき、浴槽水循環ポンプ９は停止することなく動作している。所定運転時間ａは、圧縮機１の運転によって浴槽１０に図２０のような温度分布が形成されるまでの時間に設定する。圧縮機の運転を所定時間ａの経過後に停止すると、浴槽水は風呂熱交換器７で冷却されないので、浴槽１０へ戻る浴槽水は浴槽底部に低温の層を形成しない。ここで、浴槽水循環ポンプ９は動作しているため、浴槽１０の底部の低温の浴槽水は、上部の温度の高い浴槽水と攪拌されるから、浴槽１０の温度分布は均一となっていく。圧縮機１の所定の停止時間ｂは、浴槽が攪拌されて、温度分布が均一に近い状態になるまでの時間に設定される。温度分布が均一に近い状態になると再び、圧縮機１の運転を所定時間ａだけ行う。この上記間欠運転を繰り返すことによって、浴槽１０の浴槽水全体の温度は徐々に低下し、ある所定の温度以下になるまで圧縮機１の運転を行うことが出来れば、浴槽１０の浴槽水の温熱を有効に給湯の加熱に活用できたことになる。
【００４１】
尚、本実施例において浴槽水循環ポンプ９は絶えず動作させていたが、運転停止時間ｂのとき、浴槽水循環ポンプ９を停止しても、浴槽には自然対流が発生し、上記方法より時間を要するが、同様の作用により温度分布は均一化される。
【００４２】
また、所定運転時間ｂは、浴槽の温度分布が均一に近い状態になるまでの時間に設定されるとしたが、浴槽上部の温度と浴槽底部の温度の温度差が１５ｄｅｇ以下（５ｄｅｇ以下が好ましい）になるまでの時間としても良く、間欠運転の回数は増加するが、同様の作用により浴槽１０の浴槽水の温熱を有効に給湯の加熱に活用できる。また、所定の時間ａ、および、ｂは一定値としたが、繰り返し運転回数によって、これらの一定の値を可変としても同様の効果を得ることが出来る。
【００４３】
また、本実施例では風呂浴槽の温熱を、ヒートポンプを用いて給湯の加熱に用いたが、加熱される媒体を暖房用温水などとしても良い。
【００４４】
（実施例４）
図５は本発明の実施例４におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、制御手段１６より構成されている。制御手段１６は、圧縮機１の出力を運転時間に基づいて制御する制御手段で圧縮機１の出力は所定運転時間ｃではＰ１となり、所定運転時間ｄではＰ１からＰ２となる運転を行わせる制御手段である。ここで、Ｐ１＞Ｐ２なる関係がある。圧縮機１の出力制御は、インバーターなどで行う。
【００４５】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図６に示すような制御手段１６の制御を行う。圧縮機１の出力がＰ１である運転を所定時間ｃ行い、その後、出力がＰ２である運転を所定時間ｄだけ行う。このような圧縮機１の運転を行うとき、浴槽水循環ポンプ９は停止することなく動作している。所定運転時間ｃは、圧縮機１の運転によって浴槽１０に図２０のような温度分布が形成されるまでの時間に設定する。圧縮機の出力をＰ１から所定時間ｃ経過後に、Ｐ２（但しＰ１＞Ｐ２）まで低下させると、浴槽水の冷却が抑制されるので、浴槽底部の低温の層の形成が抑えられる。ここで、浴槽水循環ポンプ９は動作しているため、浴槽１０の底部の低温の浴槽水は、上部の温度の高い浴槽水と攪拌されるから、浴槽１０の温度分布は均一となっていく。圧縮機１の出力がＰ２である所定運転時間ｄは、浴槽が攪拌されて、温度分布が均一に近い状態になるまでの時間に設定される。所定時間ｄが経過して温度分布が均一になると再び、圧縮機１の運転を所定時間ｃだけ行う。この上記運転を繰り返すことによって、浴槽１０の浴槽水全体の温度は徐々に低下し、ある所定温度以下になるまで圧縮機１の運転を行うことが出来れば、浴槽１０の浴槽水の温熱を有効に給湯の加熱に活用できたことになる。
【００４６】
また、所定運転時間ｄは、浴槽の温度分布が均一に近い状態になるまでの時間に設定されるとしたが、浴槽上部の温度と浴槽底部の温度の温度差が１５ｄｅｇ以下（５ｄｅｇ以下が好ましい）になるまでの時間としても良く、運転の繰り返し回数は増加するが、同様の作用により浴槽１０の浴槽水の温熱を有効に給湯の加熱に活用できる。また、所定の時間ｃ、および、ｄは一定値としたが、繰り返し運転回数によって、これらの一定の値を可変としても同様の効果を得ることが出来る。
【００４７】
また、本実施例において、Ｐ１とＰ２の出力関係をＰ２＝０．２Ｐ１に設定したが、０＜Ｐ２＜０．６Ｐ１の範囲で出力を設定しても、同様の効果が得られた。
【００４８】
尚、圧縮機１の出力値Ｐ１、及び、Ｐ２は一定値としたが、運転時間に応じて出力をＰ１からＰ２、または、Ｐ２からＰ１へ比例的に増減させても良い。
【００４９】
また、本実施例では風呂浴槽の温熱を、ヒートポンプを用いて給湯の加熱に用いたが、加熱される媒体を暖房用温水などとしても良い。
【００５０】
（実施例５）
図７は本発明の実施例５におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、制御手段１７より構成されている。制御手段１７は、浴槽水循環ポンプ９を運転時間に基づいて制御する制御手段で、所定運転時間ｅ、所定運転停止時間ｆなる間欠運転を行わせる制御手段である。
【００５１】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図８に示すような制御手段１７の制御を行う。浴槽水循環ポンプ９の運転を所定運転時間ｅ経過後に停止し、所定停止時間ｆ経過後再び動作させる。所定運転時間ｅは、圧縮機１の運転によって浴槽１０に図２０のような温度分布が形成されるまでの時間に設定する。浴槽水循環ポンプ９の運転を所定の時間ｅ経過後に停止すると、浴槽水の循環は停止するので、浴槽１０の浴槽底部の低温の層は成長しない。ここで、浴槽１０の底部の低温の浴槽水は、上部の温度の高い浴槽水と自然対流によって徐々に攪拌されるから、浴槽１０の温度分布はやがて均一になっていく。
【００５２】
浴槽水循環ポンプ９の所定の停止時間ｆは、浴槽１０が自然対流によって攪拌されて、温度分布が均一な状態に近くなるなるまでの時間に設定される。温度分布が均一な状態になると再び、浴槽水循環ポンプ９の運転を所定の時間ｅだけ行う。この上記間欠運転を繰り返すことによって、浴槽１０の浴槽水全体の温度は徐々に低下し、ある所定の温度以下になるまで圧縮機１の運転を行うことが出来れば、浴槽１０の浴槽水の温熱を有効に給湯の加熱に活用できたことになる。
【００５３】
尚、本実施例において圧縮機１は絶えず動作させていたが、運転停止時間ｆのとき、圧縮機１の運転を停止しても良い。
【００５４】
また、所定運転時間ｆは、浴槽の温度分布が均一な状態に近くなるまでの時間に設定されるとしたが、浴槽上部の温度と浴槽底部の温度の温度差が１５ｄｅｇ以下（５ｄｅｇ以下が好ましい）になるまでの時間としても良く、間欠運転の回数は増加するが、同様の作用により浴槽１０の浴槽水の温熱を有効に給湯の加熱に活用できる。また、所定時間ｅ、および、ｆは一定値としたが、繰り返し運転回数によって、これらの一定の値を可変としても同様の効果を得ることが出来る。
【００５５】
また、本実施例では風呂浴槽の温熱を、ヒートポンプを用いて給湯の加熱に用いたが、加熱される媒体は暖房用温水などとしても良い。
【００５６】
（実施例６）
図９は本発明の実施例６におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、制御手段１８より構成されている。制御手段１８は、浴槽水循環ポンプの出力を運転時間に基づいて制御する制御手段で浴槽水循環ポンプ９の出力が所定運転時間ｇではＰ３となり、所定運転時間ｈではＰ４となる運転を行わせる制御手段である。
【００５７】
ここで、Ｐ３＜Ｐ４なる関係がある。
【００５８】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図１０に示すような制御手段１８の制御を行う。浴槽水循環ポンプ９の出力がＰ３である運転を所定時間ｇだけ行った後、出力がＰ４である運転を、所定時間ｈだけ行う。
【００５９】
所定運転時間ｇは、圧縮機１の運転によって浴槽１０に図２０のような温度分布が形成されるまでの時間に設定する。浴槽水循環ポンプ９の出力をＰ３から所定時間ｇ経過後に、Ｐ４（但しＰ３＜Ｐ４）まで増加させて、浴槽水の循環量を増やすと、浴槽水の冷却による温度降下が抑制されるので、浴槽底部の低温の層の形成が抑えられる。さらに、浴槽水循環ポンプ９の循環量が増加すると、浴槽１０の底部の低温の浴槽水は、上部の温度の高い浴槽水と強制対流により攪拌され易くなるから、浴槽１０の温度分布は均一になっていく。浴槽水循環ポンプ９の出力がＰ４である所定時間ｈは、浴槽が強制対流によって攪拌されて、温度分布が均一に近い状態になるまでの時間に設定される。所定時間ｈが経過して、温度分布が均一になると再び、浴槽水循環ポンプ９の出力をＰ３まで低下させ運転を所定の時間ｇだけ行う。この上記運転を繰り返すことによって、浴槽１０の浴槽水全体の温度は徐々に低下し、ある所定温度以下になるまで圧縮機１の運転を行うことが出来れば、浴槽１０の浴槽水の温熱を有効に給湯の加熱に活用できたことになる。
【００６０】
また、所定運転時間ｈは、浴槽の温度分布が均一になる間での時間に設定されるとしたが、浴槽上部の温度と浴槽底部の温度の温度差が１５ｄｅｇ以下（５ｄｅｇ以下が好ましい）になるまでの時間としても良く、運転の繰り返し回数は増加するが、同様の作用により浴槽１０の浴槽水の温熱を有効に給湯の加熱に活用できる。また、所定時間ｇ、および、ｈは一定値としたが、繰り返し運転回数によって、これらの一定の値を可変としても同様の効果を得ることが出来る。
【００６１】
また、本実施例において、Ｐ３とＰ４の出力関係をＰ４＝１．５Ｐ３に設定したが、１．１Ｐ３＜Ｐ４の範囲で出力を設定しても、同様の効果が得られた。【００６１】
また、浴槽水循環ポンプ９の出力値Ｐ３、及び、Ｐ４は一定値としたが、運転時間に応じて出力をＰ３からＰ４、または、Ｐ４からＰ３へ比例的に増減させても良い。
【００６２】
また、本実施例では風呂浴槽の温熱を、ヒートポンプを用いて給湯の加熱に用いたが、加熱される媒体を暖房用温水などとしても良い。
【００６３】
（実施例７）
図１１は本発明の実施例７におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、温度センサー１４、制御手段１９より構成されている。温度センサー１４は、浴槽水循環回路８の浴槽水温度の検知手段であり、制御手段１９は、浴槽水の温度を検知する温度センサーの検知温度に基づいて圧縮機を間欠運転する制御手段すなわち圧縮機１を温度センサー１４の検知温度を基に、圧縮機１の間欠運転を行わせる制御手段である。ここで、本実施例では温度センサー１４にはサーミスターを使用したが、他にも、熱電対や、測温抵抗体などを用いても良い。また、設置位置を浴槽水循環ポンプ９の後としているが、浴槽水循環回路８であれば場所はどこでも良い。
【００６４】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図１２に示すような制御手段１９の制御を行う。圧縮機１の運転を温度センサー１４の温度が所定温度Ｔ１以下になったら一旦停止させ、温度センサー１４の温度が所定温度Ｔ２以上になったら再び動作させる。また再び、温度センサー１４の温度が所定温度Ｔ１以下になったら圧縮機１の運転を停止させる。この動作を繰り返すような圧縮機１の間欠運転を行うとき、浴槽水循環ポンプ９は停止することなく動作している。
【００６５】
浴槽１０に図２０のような温度分布が形成されると、低温の浴槽水が風呂アダプター１１を通って浴槽水循環回路８へ流入する。従って、温度センサー１４の温度が所定の温度Ｔ１以下になったら、浴槽１０には図２０のような温度分布が形成されたと判断できる。そこで、圧縮機１の運転を停止すると、浴槽水は風呂熱交換器７で冷却されないので、浴槽１０へ戻る浴槽水は浴槽底部に低温の層を形成しない。ここで、浴槽水循環ポンプ９は動作しているため、浴槽１０の底部の低温の浴槽水は、上部の温度の高い浴槽水と攪拌されるから、浴槽１０の温度分布は均一となっていく。温度分布が均一となるに従い、浴槽水循環温度は高くなるから、温度センサー１４の検知温度が所定の温度Ｔ２以上になったら、浴槽１０の浴槽水の温度分布は均一になったと判断して、圧縮機１の運転を再び開始する。この上記間欠運転を繰り返すことによって、浴槽１０の浴槽水全体の温度は徐々に低下し、ある所定温度以下になるまで圧縮機１の運転を行うことが出来れば、浴槽１０の浴槽水の温熱を有効に給湯の加熱に活用できたことになる。
【００６６】
尚、本実施例において浴槽水循環ポンプ９は絶えず動作させていたが、圧縮機１が運転停止しているとき、浴槽水循環ポンプ９を停止しても、浴槽には自然対流が発生し、上記方法より時間を要するが、同様の作用により温度分布は均一化される。
【００６７】
また、本実施例において所定温度Ｔ１は、１０℃に設定し、Ｔ２は２５℃に設定した。Ｔ１は２〜２０℃に設定しても良く（好ましくは５〜１０℃）、Ｔ２は設定したＴ１の温度に５〜２５℃を加えた値に設定する。これらの最適値は、取り付ける浴槽１０の大きさや、浴槽循環ポンプ９の能力によって異なってくる。
【００６８】
また、本実施例では風呂浴槽の温熱を、ヒートポンプを用いて給湯の加熱に用いたが、加熱される媒体を暖房用温水などとしても良い。
【００６９】
（実施例８）
図１３は本発明の実施例８におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、温度センサー１４、制御手段２０より構成されている。温度センサー１４は、浴槽水循環回路８の浴槽水温度の検知手段であり、制御手段２０は、浴槽水の温度を検知する温度センサーの検知温度に基づいて圧縮機の出力を制御する制御手段すなわち温度センサー１４の検知温度がＴ３以下になると、圧縮機１の出力をＰ５からＰ６へ変化させ、温度センサー１４の検知温度がＴ４以上になるとＰ６からＰ５へと変化させる制御手段である。ここで、出力Ｐ５とＰ６は、Ｐ５＞Ｐ６なる関係がある。ここで、本実施例では温度センサー１４にはサーミスターを使用したが、他にも、熱電対や、測温抵抗体などを用いても良い。圧縮機１の出力制御は、インバーターなどで行う。
【００７０】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図１４に示すような制御手段２０の制御を行う。
【００７１】
温度センサー１４の温度が所定温度Ｔ３以下になったら、圧縮機１の出力をＰ５からＰ６まで低下させ、温度センサー１４の温度が所定温度Ｔ４以上になったら、圧縮機１の出力をＰ６からＰ５まで増加させる。また再び、温度センサー１４の温度が所定温度Ｔ３以下になったら、圧縮機１の出力をＰ６まで低下させる。
【００７２】
この動作を繰り返すような圧縮機１の運転を行うとき、浴槽水循環ポンプ９は停止することなく動作している。
【００７３】
浴槽１０に図２０のような温度分布が形成されると、低温の浴槽水が風呂アダプター１１を通って浴槽水循環回路８へ流入する。従って、温度センサー１４の温度が所定の温度Ｔ３以下になったら、浴槽１０には図２０のような温度分布が形成されたと判断できる。そこで、圧縮機１の出力をＰ５からＰ６に低下させると、浴槽水の冷却が抑制されるので、浴槽底部の低温の層の形成が抑えられる。
【００７４】
ここで、浴槽水循環ポンプ９は動作しているため、浴槽１０の底部の低温の浴槽水は、上部の温度の高い浴槽水と攪拌されるから、浴槽１０の温度分布は均一となっていく。温度分布が均一となるに従い、浴槽水循環温度は高くなるから、温度センサー１４の検知温度が所定の温度Ｔ４以上になったら、浴槽１０の浴槽水の温度分布は均一になったと判断して圧縮機１の出力をＰ６からＰ５に増加させる。この上記運転を繰り返すことによって、浴槽１０の浴槽水全体の温度は徐々に低下し、ある所定の温度以下になるまで圧縮機１の運転を行うことが出来れば、浴槽１０の浴槽水の温熱を有効に給湯の加熱に活用できたことになる。
【００７５】
尚、本実施例において浴槽水循環ポンプ９は絶えず動作させていたが、圧縮機１が運転停止しているとき、浴槽水循環ポンプ９を停止しても、浴槽には自然対流が発生し、上記方法より時間を要するが、同様の作用により温度分布は均一化される。
【００７６】
また、本実施例において、Ｐ５とＰ６の出力関係をＰ５＝０．２Ｐ６に設定したが、０＜Ｐ５＜０．６Ｐ６の範囲で出力を設定しても、同様の効果が得られた。
【００７７】
また、圧縮機１の出力値Ｐ５、及び、Ｐ６は一定値としたが、温度センサーの検知温度に応じて出力をＰ５からＰ６、または、Ｐ６からＰ５へ比例的に増減させても良い。
【００７８】
また、本実施例において所定温度Ｔ３は、１０℃に設定し、Ｔ４は２５℃に設定した。Ｔ３は２〜２０℃に設定しても良く（好ましくは５〜１０℃）、Ｔ４は設定したＴ３の温度に５〜２５℃を加えた値に設定する。これらの最適値は、取り付ける浴槽１０の大きさや、浴槽循環ポンプ９の能力によって異なってくる。
【００７９】
また、本実施例では風呂浴槽の温熱を、ヒートポンプを用いて給湯の加熱に用いたが、加熱される媒体は暖房用温水などとしても良い。
【００８０】
（実施例９）
図１５は本発明の実施例９におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、温度センサー１４、制御手段２１より構成されている。温度センサー１４は、浴槽水循環回路８の浴槽水温度の検知手段であり、制御手段２１は、浴槽水の温度を検知する温度センサーの検知温度に基づいて浴槽水循環ポンプを間欠運転する制御手段すなわち浴槽水循環ポンプ９を温度センサー１４の検知温度を基に、浴槽水循環ポンプ９の間欠運転を行わせる制御手段である。ここで、本実施例では温度センサー１４にはサーミスターを使用したが、他にも、熱電対や、測温抵抗体などを用いても良い。
【００８１】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図１６に示すような制御手段２１の制御を行う。浴槽水循環ポンプ９の運転を温度センサー１４の温度が所定温度Ｔ５以下になったら一旦停止させ、温度センサー１４の温度が所定温度Ｔ６以上になったら再び動作させる。また再び、温度センサー１４の温度が所定温度Ｔ５以下になったら浴槽水循環ポンプ９の運転を停止させる。
【００８２】
この動作を繰り返すような浴槽水循環ポンプ９の間欠運転を行うとき、浴槽水循環ポンプ９は停止することなく動作している。
【００８３】
浴槽１０に図２０のような温度分布が形成されると、低温の浴槽水が風呂アダプター１１を通って浴槽水循環回路８へ流入する。従って、温度センサー１４の温度が所定の温度Ｔ５以下になったら、浴槽１０には図２０のような温度分布が形成されたと判断できる。そこで、浴槽水循環ポンプ９の運転を停止しすると、浴槽水は風呂熱交換器７で冷却されないので、浴槽１０へ戻る浴槽水は浴槽底部に低温の層を形成しない。ここで、浴槽１０の底部の低温の浴槽水は、上部の温度の高い浴槽水と自然対流によって徐々に攪拌されるから、浴槽１０の温度分布はやがて均一になっていく。温度分布が均一となるに従い、浴槽水循環温度は高くなるから、温度センサー１４の検知温度が所定の温度Ｔ６以上になったら、浴槽１０の浴槽水の温度分布は均一になったと判断して浴槽水循環ポンプ９の運転を再び開始する。この上記間欠運転を繰り返すことによって、浴槽１０の浴槽水全体の温度は徐々に低下し、ある所定の温度以下になるまで圧縮機１の運転を行うことが出来れば、浴槽１０の浴槽水の温熱を有効に給湯の加熱に活用できたことになる。
【００８４】
また、本実施例において所定温度Ｔ５は、１０℃に設定し、Ｔ６は２５℃に設定した。Ｔ５は２〜２０℃に設定しても良く（好ましくは５〜１０℃）、Ｔ６は設定したＴ５の温度に５〜２５℃を加えた値に設定する。これらの最適値は、取り付ける浴槽１０の大きさや、浴槽循環ポンプ９の能力によって異なってくる。
【００８５】
また、本実施例では風呂浴槽の温熱を、ヒートポンプを用いて給湯の加熱に用いたが、加熱される媒体は暖房用温水などとしても良い。
【００８６】
（実施例１０）
図１７は本発明の実施例１０におけるヒートポンプ風呂給湯機の構成を模式的に示したものである。本実施例のヒートポンプ風呂給湯機は、圧縮機１、膨張弁２、冷媒回路３、給湯熱交換器４、給湯水回路５、給湯水タンク６、風呂熱交換器７、浴槽水循環回路８、浴槽水循環ポンプ９、浴槽１０、風呂アダプター１１、温度センサー１４、制御手段２２より構成されている。温度センサー１４は、浴槽水循環回路８の浴槽水温度の検知手段であり、制御手段２２は、浴槽水の温度を検知する温度センサーの検知温度に基づいて浴槽水循環ポンプの出力を制御する制御手段すなわち浴槽水循環ポンプ９の出力が温度センサー１４の検知温度がＴ７以下になるとＰ７からＰ８となり、温度センサー１４の検知温度がＴ８以上となるとＰ８からＰ７となる運転を行わせる制御手段である。ここで、出力Ｐ７とＰ８は、Ｐ７＜Ｐ８なる関係がある。ここで、本実施例では温度センサー１４にはサーミスターを使用したが、他にも、熱電対や、測温抵抗体などを用いても良い。
【００８７】
次に動作と作用について説明する。浴槽１０の浴槽水の温熱を利用して、給湯水の加熱を行うときは、従来例と同様の動作を行う。従って、浴槽１０には図２０のような温度分布が形成される。この温度分布を均一にするため、図１８に示すような制御手段２２の制御を行う。温度センサー１４の温度が所定温度Ｔ７以下になったら、浴槽水循環ポンプ９の出力をＰ７からＰ８に増加させ、温度センサー１４の温度が所定温度Ｔ８以上になったら、浴槽水循環ポンプ９の出力をＰ８からＰ７に低下させる。また再び、温度センサー１４の温度が所定温度Ｔ７以下になったら、浴槽水循環ポンプ９の出力をＰ７からＰ８に増加させる。この動作を繰り返すような浴槽水循環ポンプ９の運転を行うとき、圧縮機１は停止することなく動作している。
【００８８】
浴槽１０に図２０のような温度分布が形成されると、低温の浴槽水が風呂アダプター１１を通って浴槽水循環回路８へ流入する。従って、温度センサー１４の温度が所定の温度Ｔ７以下になったら、浴槽１０には図２０のような温度分布が形成されたと判断できる。そこで、浴槽水循環ポンプ９の出力をＰ７からＰ８（Ｐ７＜Ｐ８）に増加させて、浴槽水の循環量を増やすと、浴槽水の冷却による温度降下が抑制されるので、浴槽底部の低温の層の形成が抑えられる。さらに、浴槽水循環ポンプ９の循環量が増加すると、浴槽１０の底部の低温の浴槽水は、上部の温度の高い浴槽水と強制対流により攪拌されるから、浴槽１０の温度分布は均一になっていく。温度分布が均一となるに従い、浴槽水循環温度は高くなるから、温度センサー１４の検知温度が所定の温度Ｔ８以上になったら、浴槽１０の浴槽水の温度分布は均一になったと判断して、浴槽水循環ポンプ９の出力をＰ８からＰ７に低下させる。この上記運転を繰り返すことによって、浴槽１０の浴槽水全体の温度は徐々に低下し、ある所定の温度以下になるまで圧縮機１の運転を行うことが出来れば、浴槽１０の浴槽水の温熱を有効に給湯の加熱に活用できたことになる。
【００８９】
また、本実施例において、Ｐ７とＰ８の出力関係をＰ８＝１．５Ｐ７に設定したが、１．１Ｐ７＜Ｐ８の範囲で出力を設定しても、同様の効果が得られた。
【００９０】
また、出力値Ｐ７、及び、Ｐ８は一定値としたが、温度センサーの検知温度に応じて出力をＰ７からＰ８、または、Ｐ８からＰ７へと比例的に増減させても良い。
【００９１】
また、本実施例において所定温度Ｔ７は、１０℃に設定し、Ｔ８は２５℃に設定した。Ｔ７は２〜２０℃に設定しても良く（好ましくは５〜１０℃）、Ｔ８は設定したＴ７の温度に５〜２５℃を加えた値に設定する。これらの最適値は、取り付ける浴槽１０の大きさや、浴槽循環ポンプ９の能力によって異なってくる。
【００９２】
また、浴槽水循環ポンプ９の出力値Ｐ７、及び、Ｐ８は一定値としたが、温度センサーの検知温度に応じて出力をＰ７からＰ８、または、Ｐ８からＰ７へ比例的に増減させても良い。
【００９３】
また、本実施例では風呂浴槽の温熱を、ヒートポンプを用いて給湯の加熱に用いたが、加熱される媒体を暖房用温水などとしても良い。
【００９４】
以上のように、本発明の構成のヒートポンプ風呂給湯機において、次のような効果が得られる。
【００９５】
（１）圧縮機を有するヒートポンプ回路と、風呂浴槽、浴槽水循環ポンプ、前記ヒートポンプ回路の冷媒と浴槽水が熱交換する風呂熱交換器を有する浴槽水回路と、前記ヒートポンプ回路の冷媒と給湯水が熱交換する給湯熱交換器を有する給湯水回路とを備え、前記圧縮機を間欠運転する制御手段と、前記圧縮機の出力を運転時間に基づいて制御する制御手段と、前記浴槽水循環ポンプを運転時間に基づいて間欠運転する制御手段と、前記浴槽水循環ポンプの出力を運転時間に基づいて制御する制御手段のうち、少なくとも一つの制御手段を備えることにより、風呂浴槽水の温熱を利用して給湯の加熱運転を行う場合に、浴槽の深さ方向に運転効率に不利な浴槽水の温度分布が形成されても、圧縮機と浴槽水循環ポンプの制御により、浴槽の温度分布を均一にすることが出来る。
【００９６】
したがって、浴槽水の温熱を有効に給湯の加熱に利用できる。さらに、装置の高効率化が実現される。
（２）圧縮機を有するヒートポンプ回路と、風呂浴槽、浴槽水循環ポンプ、前記ヒートポンプ回路の冷媒と浴槽水が熱交換する風呂熱交換器を有する浴槽水回路と、前記ヒートポンプ回路の冷媒と給湯水が熱交換する給湯熱交換器を有する給湯水回路と、前記浴槽水回路の浴槽水の温度を検知する温度センサーとを備え、前記圧縮機を前記温度センサーの検知温度に基づいて間欠運転する制御手段と、前記圧縮機の出力を前記温度センサーの検知温度に基づいて制御する制御手段と、前記浴槽水循環ポンプを前記温度センサーの検知温度に基づいて間欠運転する制御手段と、前記浴槽水循環ポンプの出力を前記温度センサーの検知温度に基づいて制御する制御手段のうち、少なくとも一つの制御手段を備えることにより、風呂浴槽水の温熱を利用して給湯の加熱運転を行う場合に、浴槽の深さ方向に運転効率に不利な浴槽水の温度分布が形成されても、圧縮機と浴槽水循環ポンプの制御により、浴槽の温度分布を均一にすることが出来る。
【００９７】
したがって、浴槽水の温熱を有効に給湯の加熱に利用できる。さらに、装置の高効率化が実現される。
【００９８】
（３）圧縮機を間欠運転する制御手段は、風呂熱交換器でヒートポンプ回路の冷媒を蒸発させて浴槽水の熱を回収し、給湯熱交換器で冷媒を凝縮させて給湯の加熱を行う場合に、圧縮機の運転を所定時間ａだけ行った後、所定時間ｂだけ運転を停止させるような、前記圧縮機の間欠運転を行うことにより、風呂浴槽水の温熱を利用して給湯の加熱運転を行う場合に、浴槽の深さ方向に運転効率に不利な浴槽水の温度分布が形成されても、圧縮機の間欠運転する制御により、浴槽の温度分布を均一にすることが出来る。
【００９９】
したがって、浴槽水の温熱を有効に給湯の加熱に利用できる。さらに、装置の高効率化が実現される。また、圧縮機の運転を停止して浴槽を撹拌するので、装置の省電力化と静音化が図れる。
【０１００】
（４）圧縮機の出力を運転時間に基づいて制御する制御手段は、風呂熱交換器でヒートポンプ回路の冷媒を蒸発させて浴槽水の熱を回収し、給湯熱交換器で冷媒を凝縮させて給湯の加熱を行う場合に、圧縮機の出力がＰ１である運転を所定時間ｃだけ行った後に、前記圧縮機の出力がＰ２（但しＰ１＞Ｐ２）である運転を所定時間ｄだけ行うような動作を、繰り返し行うことにより、風呂浴槽水の温熱を利用して給湯の加熱運転を行う場合に、浴槽の深さ方向に運転効率に不利な浴槽水の温度分布が形成されても、圧縮機の制御により、浴槽の温度分布を均一にすることが出来る。
【０１０１】
したがって、浴槽水の温熱を有効に給湯の加熱に利用できる。さらに、装置の高効率化が実現される。また、圧縮機の出力を制御することで、短時間で給湯の加熱運転を完了できるので、浴槽内の浴槽水の放熱を最小限にすることが出来る。
また、連続で運転を行うことが出来るので、サイクルが安定し、圧縮機の寿命も向上する。
【０１０２】
（５）浴槽水循環ポンプを運転時間に基づいて間欠運転する制御手段は、風呂熱交換器でヒートポンプ回路の冷媒を蒸発させて浴槽水の熱を回収し、給湯熱交換器で冷媒を凝縮させて給湯の加熱を行う場合に、浴槽水循環ポンプの運転を所定時間ｅだけ行った後、所定時間ｆだけ運転を停止するような、前記浴槽水循環ポンプの間欠運転を行うことにより、風呂浴槽水の温熱を利用して給湯の加熱運転を行う場合に、浴槽の深さ方向に運転効率に不利な浴槽水の温度分布が形成されても、浴槽水循環ポンプの制御により、浴槽の温度分布を均一にすることが出来る。
【０１０３】
したがって、浴槽水の温熱を有効に給湯の加熱に利用できる。さらに、装置の高効率化が実現される。また、浴槽水循環ポンプの運転を停止して浴槽を撹拌するので、装置の省電力化と静音化が図れる。
【０１０４】
（６）浴槽水循環ポンプの出力を運転時間に基づいて制御する制御手段は、風呂熱交換器でヒートポンプ回路の冷媒を蒸発させて浴槽水の熱を回収し、給湯熱交換器で冷媒を凝縮させて給湯の加熱を行う場合に、浴槽水循環ポンプの出力がＰ３である運転を所定時間ｇだけ行った後に、前記浴槽水循環ポンプの出力がＰ４（但しＰ３＜Ｐ４）である運転を所定時間ｈだけ行うことにより、風呂浴槽水の温熱を利用して給湯の加熱運転を行う場合に、浴槽の深さ方向に運転効率に不利な浴槽水の温度分布が形成されても、浴槽水循環ポンプの制御により、浴槽の温度分布を均一にすることが出来る。
【０１０５】
したがって、浴槽水の温熱を有効に給湯の加熱に利用できる。さらに、装置の高効率化が実現される。また、浴槽水循環ポンプの出力を制御することで、応答性の良い装置が提供できる。さらに、浴槽水の流量が周期的に変化するので、浴槽水循環回路と浴槽には菌等による汚れが発生しにくい。また、浴槽水循環ポンプの出力を制御することで、短時間で給湯の加熱運転を完了できるので、浴槽内の浴槽水の放熱を最小限にすることが出来る。また、連続で運転を行うことが出来るので、サイクルが安定し、圧縮機の寿命も向上する。
【０１０６】
（７）浴槽水の温度を検知する温度センサーの検知温度に基づいて圧縮機を間欠運転する制御手段は、風呂熱交換器で前記ヒートポンプ回路の冷媒を蒸発させて浴槽水の熱を回収し、給湯熱交換器で冷媒を凝縮させて給湯の加熱を行う場合に、温度センサーの検知温度がＴ１以下になると圧縮機の動作を停止し、温度センサーの検知温度がＴ２以上になると前記圧縮機を再び動作させるような、前記圧縮機の間欠運転を行わせることにより、浴槽水の温熱を利用して給湯の加熱運転を行う場合に、浴槽の深さ方向に運転効率に不利な浴槽水の温度分布が形成されても、圧縮機の制御により、浴槽の温度分布を均一にすることが出来る。
【０１０７】
したがって、浴槽水の温熱を有効に給湯の加熱に利用できる。さらに、装置の高効率化が実現される。また、付加した温度センサーを、装置の安全性を感知する手段とする事が出来るので、装置の安全性が向上する。また、圧縮機の運転を停止して浴槽を撹拌するので、装置の省電力化と静音化が図れる。
【０１０８】
（８）浴槽水の温度を検知する温度センサーの検知温度に基づいて圧縮機の出力を制御する制御手段は、風呂熱交換器でヒートポンプ回路の冷媒を蒸発させて浴槽水の熱を回収し、給湯熱交換器で冷媒を凝縮させて給湯の加熱を行う場合に、温度センサーの検知温度がＴ５以下になると浴槽水循環ポンプの動作を停止し、前記温度センサーの検知温度がＴ６以上になると前記浴槽水循環ポンプを再び動作させるような、浴槽水循環ポンプの間欠運転を行うことにより、風呂浴槽水の温熱を利用して給湯の加熱運転を行う場合に、浴槽の深さ方向に運転効率に不利な浴槽水の温度分布が形成されても、圧縮機の制御により、浴槽の温度分布を均一にすることが出来る。
【０１０９】
したがって、浴槽水の温熱を有効に給湯の加熱に利用できる。さらに、装置の高効率化が実現される。また、付加した温度センサーを、装置の安全性を感知する手段とする事が出来るので、装置の安全性が向上する。また、圧縮機の出力を制御することで、短時間で給湯の加熱運転を完了できるので、浴槽内の浴槽水の放熱を最小限にすることが出来る。また、連続で運転を行うことが出来るので、サイクルが安定し、圧縮機の寿命も向上する。
【０１１０】
（９）浴槽水の温度を検知する温度センサーの検知温度に基づいて浴槽水循環ポンプを間欠運転する制御手段は、風呂熱交換器でヒートポンプ回路の冷媒を蒸発させて浴槽水の熱を回収し、給湯熱交換器で冷媒を凝縮させて給湯の加熱を行う場合に、温度センサーの検知温度がＴ５以下になると浴槽水循環ポンプの動作を停止し、前記温度センサーの検知温度がＴ６以上になると前記浴槽水循環ポンプを再び動作させるような、浴槽水循環ポンプの間欠運転を行うことにより、風呂浴槽水の温熱を利用して給湯の加熱運転を行う場合に、浴槽の深さ方向に運転効率に不利な浴槽水の温度分布が形成されても、浴槽水循環ポンプの制御により、浴槽の温度分布を均一にすることが出来る。
【０１１１】
したがって、浴槽水の温熱を有効に給湯の加熱に利用できる。さらに、装置の高効率化が実現される。また、付加した温度センサーを、装置の安全性を感知する手段とする事が出来るので、装置の安全性が向上する。また、浴槽水循環ポンプの運転を停止して浴槽を撹拌するので、装置の省電力化と静音化が図れる。
【０１１２】
（１０）浴槽水の温度を検知する温度センサーの検知温度に基づいて浴槽水循環ポンプの出力を制御する制御手段は、風呂熱交換器でヒートポンプ回路の冷媒を蒸発させて浴槽水の熱を回収し、給湯熱交換器で冷媒を凝縮させて給湯の加熱を行う場合に、温度センサーの検知温度がＴ７以下になると浴槽水循環ポンプの出力をＰ７からＰ８（但しＰ７＞Ｐ８）へと制御し、その後前記温度センサーの検知温度がＴ８以上になると前記浴槽水循環ポンプの出力をＰ８からＰ７へと制御することにより、風呂浴槽水の温熱を利用して給湯の加熱運転を行う場合に、浴槽の深さ方向に運転効率に不利な浴槽水の温度分布が形成されても、浴槽水循環ポンプの制御により、浴槽の温度分布を均一にすることが出来る。
【０１１３】
したがって、浴槽水の温熱を有効に給湯の加熱に利用できる。さらに、装置の高効率化が実現される。また、付加した温度センサーを、装置の安全性を感知する手段とする事が出来るので、装置の安全性が向上する。さらに、浴槽水の流量が周期的に変化するので、浴槽水循環回路と浴槽には菌等による汚れが発生しにくい。また、浴槽水循環ポンプの出力を制御することで、短時間で給湯の加熱運転を完了できるので、浴槽内の浴槽水の放熱を最小限にすることが出来る。また、連続で運転を行うことが出来るので、サイクルが安定し、圧縮機の寿命も向上する。
【０１１４】
【発明の効果】
以上のように本発明のヒートポンプ風呂給湯機によれば、風呂浴槽水の温熱を利用して給湯の加熱運転を行うときに、浴槽の底部の温度が低く、浴槽の上部の温度が高いような温度分布を、浴槽水の自然対流、または、強制対流を利用して均一化することが出来るので、風呂浴槽水の温熱を有効かつ高効率に給湯の加熱に利用することができる。
【図面の簡単な説明】
【図１】
本発明の実施例１におけるヒートポンプ風呂給湯機の構成図
【図２】
本発明の実施例２におけるヒートポンプ風呂給湯機の構成図
【図３】
本発明の実施例３におけるヒートポンプ風呂給湯機の構成図
【図４】
同ヒートポンプ風呂給湯機の圧縮機の運転時間と浴槽水温度との関係を示した図
【図５】
本発明の実施例４におけるヒートポンプ風呂給湯機の構成図
【図６】
同ヒートポンプ風呂給湯機の圧縮機の出力と浴槽水温度との関係を示した図
【図７】
本発明の実施例５におけるヒートポンプ風呂給湯機の構成図
【図８】
同ヒートポンプ風呂給湯機の浴槽水循環ポンプの運転時間と浴槽水温度との関係を示した図
【図９】
本発明の実施例６におけるヒートポンプ風呂給湯機の構成図
【図１０】
同ヒートポンプ風呂給湯機の浴槽水循環ポンプの出力と浴槽水温度との関係を示した図
【図１１】
本発明の実施例７におけるヒートポンプ風呂給湯機の構成図
【図１２】
同ヒートポンプ風呂給湯機の圧縮機の運転時間と温度センサー検知温度と浴槽水上層部温度との関係を示した図
【図１３】
本発明の実施例８におけるヒートポンプ風呂給湯機の構成図
【図１４】
同ヒートポンプ風呂給湯機の圧縮機の出力と温度センサー検知温度と浴槽水上層部温度との関係を示した図
【図１５】
本発明の実施例９におけるヒートポンプ風呂給湯機の構成図
【図１６】
同ヒートポンプ風呂給湯機の浴槽水循環ポンプの運転時間と温度センサー検知温度と浴槽水上層部温度との関係を示した図
【図１７】
本発明の実施例１０におけるヒートポンプ風呂給湯機の構成図
【図１８】
同ヒートポンプ風呂給湯機の浴槽水循環ポンプの出力と温度センサー検知温度と浴槽水上層部温度との関係を示した図
【図１９】
従来のヒートポンプ風呂給湯機の構成図
【図２０】
同ヒートポンプ風呂給湯機の浴槽の水温と浴槽水温度との関係を示した図
【符号の説明】
１  圧縮機
７  風呂熱交換器
９  浴槽水循環ポンプ
１０  浴槽
１２  圧縮機を間欠運転する制御手段
１３  温度センサーの検知温度に基づいて圧縮機を間欠運転する制御手段
１４  温度センサー
１５  圧縮機を所定運転時間ａ、所定運転停止時間ｂなる間欠運転をする制御手段
１６  圧縮機の出力を運転時間に基づいて制御する制御手段
１７  浴槽水循環ポンプを運転時間に基づいて制御する制御手段
１８  浴槽水循環ポンプの出力を運転時間に基づいて制御する制御手段
１９  浴槽水の温度を検知する温度センサーの検知温度に基づいて圧縮機を間欠運転する制御手段
２０  浴槽水の温度を検知する温度センサーの検知温度に基づいて圧縮機の出力を制御する制御手段
２１  浴槽水の温度を検知する温度センサーの検知温度に基づいて浴槽水循環ポンプを間欠運転する制御手段
２２  浴槽水の温度を検知する温度センサーの検知温度に基づいて浴槽水循環ポンプの出力を制御する制御手段